(57)【要約】【課題】本発明の目的は、複数の検体に対して共通に分析したい検査項目群があらかじめ決まっている場合においては、オーダリングにおいて検体認識という管理を排除することにより、作業効率の改善、人為的分析ミスの排除、および分析効率の向上を図ることである。【解決手段】本発明は、分析部と、複数の検体が搬送される搬送部と、搬送される前記複数の検体より採取して前記分析部に分注する分注機構と、データ記憶部と、検査項目を含む各種表示項目の表示や入力を行なう表示操作部を有する自動分析装置のオーダリング方法において、前記複数の検体を共通に検査するための共通検査項目指定画面を前記表示操作部に表示し、前記共通検査項目指定画面より検査項目を選択して前記複数の検体に共通の検査を実行させる検査項目群を作成することを特徴とする。【選択図】図２
2008039471.tif 000002
【特許請求の範囲】
【請求項１】
分析部と、複数の検体が搬送される搬送部と、搬送される前記複数の検体より採取して前記分析部に分注する分注機構と、データ記憶部と、検査項目を含む各種表示項目の表示や入力を行なう表示操作部を有する自動分析装置のオーダリング方法において、
前記複数の検体を共通に検査するための共通検査項目指定画面を前記表示操作部に表示し、
前記共通検査項目指定画面より検査項目を選択して前記複数の検体に共通の検査を実行させる検査項目群を作成することを特徴とする自動分析装置のオーダリング方法。
【請求項２】
前記請求項１に記載された自動分析装置のオーダリング方法において、
前記検査項目群のパターンを複数個指定できることを特徴とするオーダリング方法。
【請求項３】
前記請求項２に記載された自動分析装置のオーダリング方法において、
分析前に、指定された複数の検査項目群のパターンから一つを選択できることを特徴とする自動分析装置のオーダリング方法。
【請求項４】
前記請求項２に記載された自動分析装置のオーダリング方法において、
指定された複数の検査項目群のパターン毎に分析を実施するための分析実施条件を指定することができることを特徴とする自動分析装置のオーダリング方法。
【請求項５】
前記請求項４に記載された自動分析装置のオーダリング方法において、
分析前に、指定された複数の検査項目群のパターン毎の分析を実施するための分析実施条件を指定しておくことにより、分析時に分析実施条件を満たす前記検査項目群のパターンを逐次選び出し、選び出した検査項目群のパターンを用いて複数の検体に対する分析が行われることを特徴とするオーダリング方法。
【請求項６】
分析部と、複数の検体が搬送される搬送部と、搬送される前記複数の検体より採取して前記分析部に分注する分注機構と、搬送中の前記複数の検体を識別する識別装置と、データ記憶部と、検査項目を含む各種表示項目の表示や入力を行なう表示操作部を有する自動分析装置の操作方法において、
前記複数の検体を共通に検査するための共通検査項目指定画面を前記表示操作部に表示し、
前記共通検査項目指定画面より検査項目を選択して前記複数の検体に共通の検査を実行させる検査項目群を作成し、
検査対象となる複数の検体を搬送部に搬送させ、
前記識別装置が前記複数の検体を識別した識別可否に関係なく、前記分注機構の分注により前記複数の検体について前記検査項目群の分析を実行することを特徴とする自動分析装置の操作方法。
【請求項７】
分析部と、複数の検体が搬送される搬送部と、搬送される前記複数の検体より採取して前記分析部に分注する分注機構と、データ記憶部と、検査項目を含む各種表示項目の表示や入力を行なう表示操作部を有する自動分析装置において、
前記複数の検体を共通に検査するための共通検査項目指定画面を前記表示操作部に表示する機能手段と、
前記共通検査項目指定画面より検査項目を選択して前記複数の検体に共通の検査を実行させる検査項目群を作成する機能手段と、
搬送中の前記複数の検体を識別する識別装置を有し
前記識別装置が前記複数の検体を識別した識別可否に関係なく、前記分注機構の分注により前記複数の検体について前記検査項目群の分析を実行させる制御手段を設けたことを特徴とする自動分析装置。
【発明の詳細な説明】
【技術分野】
【０００１】
本発明は、自動分析装置のオーダリング方法、および操作方法に係り、特に、決められた検査項目群の連続分析に好適なオーダリング方法、および操作方法に関する。
【背景技術】
【０００２】
自動分析装置において、各検体に対して検査項目群の分析を行う際には、予めどの検査項目を分析するのか指定する必要がある。
【０００３】
検査項目を指定するために、検査項目指定用の画面が設けられており、オペレータは上記検査項目指定用画面を用いて、検体毎にどの検査項目を分析するのか指定することができる。
【０００４】
自動分析装置内に検体を投入する前に、上記検査項目指定用画面を用いて検査項目の指定を行っておく。自動分析装置内に検体投入後に装置が各検体を認識し、当該検体に対して指定された検査項目群を読み出し、当該検体に対する検査項目として確定し、確定検査項目の分析を実施する。
【０００５】
検体の認識に失敗したり、当該検体に対する検査項目群の読み出しに失敗したりすることなどにより、検査項目未確定となった検体に対しては、分析を実施せず、そのまま装置から排出する。
【０００６】
この種の自動分析装置は、例えば、特開２００５−９１２７７号公報〔特許文献１〕に記載されている。
【０００７】
【特許文献１】特開２００５−９１２７７号公報
【発明の開示】
【発明が解決しようとする課題】
【０００８】
自動分析装置による検査項目群の分析としては、健診時に見られるように全検体とも同一検査項目群を分析する場合も往々にしてある。
【０００９】
このような場合においても、従来の自動分析装置では、検査項目群の指定は検体毎に行う必要があり、この場合、全く同じ検査項目群の指定操作を、全検体数分実施しなければならず、作業効率が悪い。
【００１０】
また、大量検体に対する全く同じ検査項目群の指定を人手により実施するため、人為的ミスによって異なる検査項目が指定されてしまうという危険性も存在した。
【００１１】
これを解決するために、複数検体に対する同一検査項目群の一括指定を可能にする手段も考えられている。
【００１２】
この場合においても、検体という認識管理が必要であり、検査項目指定用画面での検体指定を誤ると、装置が検体を認識した時に、当該検体に対する検査項目群を読み出すことができず、当該検体に対する検査項目未確定となり、分析が実施されないという問題があった。
【００１３】
また、たとえ検体に対する検査項目指定を正しく実施したとしても、自動分析装置内に検体投入後、検体バーコードの汚れやバーコードリーダ不良等により装置が検体認識に失敗した場合には、当該検体に対する検査項目群を読み出すことができず、当該検体に対する検査項目未確定となり、分析が実施されないという問題があった。
【００１４】
本発明の目的は、複数の検体に対して共通に分析したい検査項目群があらかじめ決まっている場合においては、オーダリングにおいて検体認識という管理を排除することにより、作業効率の改善、人為的分析ミスの排除、および分析効率の向上を図ることである。
【課題を解決するための手段】
【００１５】
本発明は、分析部と、複数の検体が搬送される搬送部と、搬送される前記複数の検体より採取して前記分析部に分注する分注機構と、データ記憶部と、検査項目を含む各種表示項目の表示や入力を行なう表示操作部を有する自動分析装置のオーダリング方法において、前記複数の検体を共通に検査するための共通検査項目指定画面を前記表示操作部に表示し、前記共通検査項目指定画面より検査項目を選択して前記複数の検体に共通の検査を実行させる検査項目群を作成することを特徴とする。
【発明の効果】
【００１６】
本発明によれば、検査項目指定や検体認識のデータ入力が大幅に削減され作業効率の改善になる。
【発明を実施するための最良の形態】
【００１７】
本発明の実施例について述べる前に特徴点（前段）および良さ（後段）についてまとめて述べる。
【００１８】
本発明は、先に述べた本発明の目的を達成するために、全検体に対して共通に分析したい検査項目群を指定するための共通検査項目指定用画面を装備する。
【００１９】
上記共通検査項目指定用画面は、検体毎に検査項目群を指定する必要が無いことを特徴とする。
【００２０】
上記共通検査項目指定用画面で、全検体に対して共通に分析したい検査項目群を指定後に、自動分析装置内に検体を投入すると、全検体に対し指定された共通検査項目群の分析を実施する。
【００２１】
自動分析装置内に検体投入後の装置による各検体の認識処理において、検体バーコードの汚れやバーコードリーダ不良等により当該検体の検体認識に失敗した場合においても、上記共通検査項目指定用画面で指定した共通検査項目群を、当該検体に対する検査項目として確定し、確定検査項目の分析を実施する。
【００２２】
上記共通検査項目指定用画面において、複数の共通検査項目群を指定可能とし、条件に応じて上記複数の共通検査項目群の中の一つを選択し、選択された共通検査項目群の分析実施を可能とする。
【００２３】
上記複数の共通検査項目群の中の一つを選択するための条件は、上記共通検査項目指定用画面において、複数の共通検査項目群毎に指定可能とする。
【００２４】
上記の特徴によれば、次のような良さがある。
【００２５】
本発明により、検体の認識管理とは独立して、分析したい共通検査項目群の指定が可能となるため、特に大量検体に対する共通検査項目群の分析実施において、検査項目指定作業の効率が向上する。
【００２６】
また、検査項目指定時に検体認識管理が不要になるため、検体認識管理に関わる人為的ミスが排除される。
【００２７】
さらに、装置が検体の認識に失敗した場合においても、指定の共通検査項目群の分析が実施されるため、オペレータは分析終了後に当該検体の識別処理のみを行うだけで済み、再度分析を実施する必要がなくなるため、分析効率が向上する。
【００２８】
以下、本発明の実施形態について添付図面を用いて説明する。
【００２９】
まず、図１を引用して検体供給をラック方式で行う自動分析装置の全体構成を示している。
【００３０】
自動分析装置１０１は、検体を保持したラック１０８を装置内部に投入するためのラック供給部１０２と、検体を保持した上記ラック１０８が装置内部を順次搬送するためのラック搬送部１０３と、各検体に対して指定された検査項目群の分析を行うための分析部１０４と、分析に必要な検体採取が完了した上記ラック１０８を収納するためのラック収納部１０５と、分析に必要なデータおよび分析結果を記憶するデータ記憶部１０６と、ＧＵＩによってマンマシン間のデータ授受を管理する表示操作部１０７と、各種の機能手段や制御を行なう制御手段から構成される。
【００３１】
分析を行いたい検査項目は、表示操作部１０７が有するＧＵＩを通してオペレータが指定し、データ記憶部１０６に記憶される。検査対象となる検体を保持したラック１０８は、ラック供給部１０２にセットされ、ラック搬送部１０３に送り出される。
【００３２】
ラック搬送部１０３に送り出された上記ラック１０８は、まずバーコードリーダなどの識別装置１０９により、ラックおよび検体の識別が行われる。
【００３３】
その後、当該検体に対して分析すべき検査項目が上記データ記憶部１０６から読み出され、当該分析に必要な検体の採取が分注機構１１０によって行われ、分析部１０４によって分析が実施される。分析に必要な検体の採取が完了した上記ラック１０８は、上記ラック搬送部１０３によって搬送されて行き、ラック収納部１０５に収納される。
【実施例１】
【００３４】
本発明の実施例１を、図２を用いて説明する。
【００３５】
図２は、全検体に対して共通に分析させる検査項目を指定するための、共通検査項目指定画面である。上記画面は、上記自動分析装置１０１の上記表示操作部１０７に装備する。上記表示操作部１０７に共通検査項目指定画面を含む各種画面を表示させる機能手段は前記制御手段等に備わっている。
【００３６】
上記画面内には、上記自動分析装置にて分析可能な検査項目群に対して、各検査項目に対応した選択可能なボタン２０１を配置する。
【００３７】
オペレータは、上記ボタン２０１を選択して選択状態２０２にすることにより、当該ボタンに対応した検査項目を全検体に対して共通に分析させる検査項目として指定することができる。
【００３８】
このような検査項目群を作成する機能手段は前記制御手段等に備わっている。
【００３９】
上記画面にて指定された共通検査項目群は、上記自動分析装置１０１の上記データ記憶部１０６に記憶する。
【００４０】
その後、検査対象となる検体を保持した上記ラック１０８を上記ラック供給部１０２にセットし、上記ラック搬送部１０３に搬出する。上記ラック搬送部１０３に送り出された上記ラック１０８は、まず上記識別装置１０９により、ラックおよび検体の識別が行われるが、上記共通検査項目指定画面にて共通検査項目群の指定が行われている場合、検体の識別可否とは関係無く、上記共通検査項目指定画面にて指定した分析すべき共通検査項目群を、上記データ記憶部１０６から読み出し、当該分析に必要な検体の採取を上記分注機構１１０によって行い、上記分析部１０４によって分析を実施する。
【００４１】
これにより、検体バーコードの汚れやバーコードリーダ不良等により当該検体の検体認識に失敗した場合においても、上記共通検査項目指定用画面で指定した共通検査項目群を、当該検体に対する検査項目として確定し、確定検査項目の分析を実施することが可能になる。
【００４２】
このような識別装置の識別可否とは関係無く、共通検査項目群の分析を全部の検体について実行させるのは、前記制御手段等である。
【００４３】
また、オペレータは、上記共通検査項目指定画面を用いることにより、検体認識の管理から開放され、検体を意識することなく、分析したい検査項目の指定操作が可能になる。
【実施例２】
【００４４】
本発明の実施例２を、図３および図４を用いて説明する。
【００４５】
図３は、上記実施例１の共通検査項目指定画面内に、さらに共通検査項目群名称設定欄３０１を追加装備したものである。
【００４６】
オペレータは、全検体に対して共通に分析させる検査項目群を指定する際、当該指定検査項目群に対して、一意に識別可能な名称を、上記共通検査項目群名称設定欄３０１に設定する。
【００４７】
同様に、全検体に対して共通に分析させたい別の検査項目群を指定し、当該指定検査項目群に対して、一意に識別可能な名称を、上記共通検査項目群名称設定欄３０１に設定する。
【００４８】
同様の操作を複数回繰り返すことにより、全検体に対して共通に分析させたい様々な検査項目群のパターンを複数個、指定可能とする。
【００４９】
上記画面にて指定された様々な検査項目群のパターンは、上記自動分析装置１０１の上記データ記憶部１０６に記憶する。
【００５０】
オペレータは、上記共通検査項目群名称設定欄３０１に、当該検査項目群パターンに対応した共通検査項目群名称を指定することにより、全検体に対して共通に分析させる検査項目群のパターンを、選択指定する。
【００５１】
図４は、共通検査項目群名称設定欄３０１に、あらかじめ設定しておいた複数の共通検査項目群名称の中から一つを選択指定し、当該共通検査項目群名称に対応した検査項目群パターンを、全検体に対して共通に分析させる検査項目群として選択指定したものである。
【００５２】
これによりオペレータは、全検体に対して共通に分析させる検査項目群のパターンを、適宜切替えて、分析を実施することが可能となる。
【実施例３】
【００５３】
本発明の実施例３を、図５を用いて説明する。
【００５４】
図５は、上記実施例２の共通検査項目指定画面内に、さらに分析実施条件設定欄５０１を追加装備したものである。
【００５５】
オペレータは、共通に分析させる検査項目群を指定する際、当該指定検査項目群パターンによる分析を実施する条件を、分析実施条件設定欄５０１に設定する。
【００５６】
図５では、分析実施条件の一例として、検体ＩＤの範囲がＫ００００００１〜Ｋ９９９９９９９の検体の場合に、共通検査項目群名称設定欄３０１に選択されている「健康管理センタ総合健診」という名称で指定された共通検査項目群パターンによる分析を実施する例を示している。
【００５７】
同様の操作により、複数の共通検査項目群パターン毎に、当該共通検査項目群パターンによる分析実施条件を指定する。
【００５８】
上記画面にて指定された分析実施条件は、対応する共通検査項目群パターンとともに、上記自動分析装置１０１の上記データ記憶部１０６に記憶する。
【００５９】
その後、検査対象となる検体を上記自動分析装置１０１に投入し、上記共通検査項目指定画面にて指定した複数の共通検査項目群パターンを、上記データ記憶部１０６から読み出し、上記各共通検査項目群パターン毎に設定されている当該共通検査項目群パターンによる分析実施条件に応じて、共通検査項目群パターンを一意に選択し、当該共通検査項目群パターンによる分析を実施する。
【００６０】
これにより、複数の共通検査項目群パターンを用いた分析を行う場合においても、共通検査項目群パターンを切替える毎に分析ルーチンを停止させることなく、同一分析ルーチン内での、複数の共通検査項目群パターンの使い分けによる分析が可能となる。
【図面の簡単な説明】
【００６１】
【図１】本発明を実施例に係わるもので、自動分析装置の全体概要構成図。
【図２】本発明の実施例１に係わるもので、共通検査項目指定画面。
【図３】本発明の実施例２に係わるもので、共通検査項目群の名称指定を可能とした共通検査項目指定画面。
【図４】本発明の実施例２に係わるもので、共通検査項目群の名称指定を可能とした共通検査項目指定画面を用いた、共通検査項目群指定例。
【図５】本発明の実施例３に係わるもので、共通検査項目群の名称ならびに分析実施条件の指定を可能とした共通検査項目指定画面。
【符号の説明】
【００６２】
１０１…自動分析装置、１０６…データ記憶部、１０７…表示操作部、２０１…共通検査項目選択ボタン、２０２…共通検査項目選択状態、３０１…共通検査項目群名称設定欄、５０１…分析実施条件設定欄。
【図１】
2008039471.tif 000003
【図２】
2008039471.tif 000004
【図３】
2008039471.tif 000005
【図４】
2008039471.tif 000006
【図５】
2008039471.tif 000007